(57)【要約】【課題】組立作業性を向上させるとともに、カバーの強度を向上させる。【解決手段】デジタルスチルカメラ１００のカバー２０は、本体部１０の前面を覆う前カバー２２と、本体部１０の後面を覆う後カバー２４と、本体部１０の上面およびこの上面に続く側面ならびにこの側面に続く底面部分を覆う中間カバー２６とを含んで構成されている。中間カバー２６は本体部１０の上面を覆う上面部２６０２と、本体部１０の側面を覆う側面部２６０４と、本体部１０の側面の一部を覆う底面部２６０６とで構成されている。中間カバー２６の上面部２６０２がフレーム１２の上面に臨む内面には、第１係脱部２２１２および第２係脱部２４１２に係脱可能に結合することで上面部２６０２が本体部１０の上面に装着される第３係脱部２６０８が設けられている。【選択図】        図３
2006202910.tif 000002
【特許請求の範囲】
【請求項１】
各種の機構が組み付けられ扁平で略矩形の輪郭内に収められた本体部と、前記本体部に装着され前記本体部を覆う扁平で略矩形の外筐とを備え、
前記本体部は、第１の主面と、この第１の主面に対向する第２の主面と、これら第１の主面と第２の主面の周囲を接続する４つの側面を有し、
前記外筐は、
前記本体部の前記第１の主面を覆う第１のカバーと、
前記本体部の前記第２の主面を覆う第２のカバーと、
前記本体部の４つの側面のうちの互いに接続された３つの側面を覆う第３のカバーとを含んで構成されている、
ことを特徴とする電子機器。
【請求項２】
前記本体部の前記第１の主面により前面が構成され、前記第２の主面により後面が構成され、前記４つの側面のうちの１つの側面により上面が構成され、前記４つの側面のうちの残りの２つの側面により前記上面に接続する左右の側面が構成され、前記４つの側面のうちの残りの１つの側面により前記左右の側面に接続する底面が構成され、前記第１のカバーにより前記本体部の前面を覆う前カバーが構成され、前記第２のカバーにより前記本体部の後面を覆う後カバーが構成され、前記第３のカバーにより前記本体部の上面およびこの上面に続く側面ならびにこの側面に続く底面部分を覆う中間カバーが構成されていることを特徴とする請求項１記載の電子機器。
【請求項３】
前記前カバーの上部に設けられた取り付け片が前記本体部の上面に取着され、前記後カバーの上部に設けられた取り付け片が前記本体部の上面に取着され、前記中間カバーは、前記取り付け片を含んだ前記本体部の上面を覆っていることを特徴とする請求項２記載の電子機器。
【請求項４】
前記本体部はフレームを有し、前記各種の機構は前記フレームに組み付けられ、前記前カバーの上部に設けられた取り付け片が前記フレームの上面に取着され、前記後カバーの上部に設けられた取り付け片が前記フレームの上面に取着され、前記中間カバーは、前記取り付け片を含んだ前記フレームの上面を覆っていることを特徴とする請求項２記載の電子機器。
【請求項５】
前記前カバーの上部には、前記本体部の上面上に位置する第１係脱部が設けられ、前記後カバーの上部には、前記本体部の上面上に位置する第２係脱部が設けられ、前記中間カバーが前記本体部の上面に臨む内面には、前記第１係脱部および前記第２係脱部に係脱可能に結合することで前記中間カバーが前記第１係脱部および前記第２係脱部を含んだ前記本体部の上面を覆って前記本体部に装着される第３係脱部が設けられていることを特徴とする請求項２記載の電子機器。
【請求項６】
前記前カバーの上部には、前記本体部の上面上に位置する第１係脱部が設けられ、前記後カバーの上部には、前記本体部の上面上に位置する第２係脱部が設けられ、前記中間カバーが前記本体部の上面に臨む内面には、前記第１係脱部および前記第２係脱部に係脱可能に結合することで前記中間カバーが前記第１係脱部および前記第２係脱部を含んだ前記本体部の上面を覆って前記本体部に装着される第３係脱部が設けられ、さらに、前記中間カバーが前記本体部の前記底面部分を覆う箇所が前記本体部に固定されていることを特徴とする請求項２記載の電子機器。
【請求項７】
前記前カバーの上部には、前記本体部の上面上に位置する第１係脱部が設けられ、前記後カバーの上部には、前記本体部の上面上に位置する第２係脱部が設けられ、前記中間カバーが前記本体部の上面に臨む内面には、前記第１係脱部および前記第２係脱部に係脱可能に結合することで前記中間カバーが前記第１係脱部および前記第２係脱部を含んだ前記本体部の上面を覆って前記本体部に装着される第３係脱部が設けられ、さらに、前記中間カバーが前記本体部の前記底面部分を覆う箇所に挿通されたねじが、前記本体部の底面の雌ねじに螺合されることで前記中間カバーが前記本体部の前記底面部分を覆う箇所が前記本体部に固定されていることを特徴とする請求項２記載の電子機器。
【請求項８】
前記前カバーは、前記本体部の前面を覆う前面部と、前記本体部の上面の前縁を覆う上縁面部と、前記本体部の側面の前縁を覆う側縁面部と、前記本体部の底面の前縁を覆う底縁面部とを備え、
前記後カバーは、前記本体部の後面を覆う後面部と、前記本体部の上面の後縁を覆う上縁面部と、前記本体部の側面の後縁を覆う側縁面部と、前記本体部の底面の後縁を覆う底縁面部とを備え、
前記前カバーと前記後カバーの上縁面部との間、側縁面部との間、底縁面部との間に前記本体部の上面、側面、底面を開放する開口が形成され、
前記中間カバーは前記開口を塞ぐように設けられていることを特徴とする請求項２記載の電子機器。
【請求項９】
前記中間カバーは、前記本体部の上面を覆う上面部と、前記本体部の側面を覆う側面部と、前記本体部の底面部分を覆う底面部とを有し、前記中間カバーは前後方向に延在する幅を有し、前記上面部と底面部は均一の幅で形成されていることを特徴とする請求項２記載の電子機器。
【請求項１０】
前記本体部に、前記前カバー、前記後カバー、前記中間カバーが装着された状態で、前記前カバーと中間カバーとの境の部分は同一面上に設けられ、前記後カバーと中間カバーとの境の部分は同一面上に設けられていることを特徴とする請求項２記載の電子機器。
【請求項１１】
前記本体部に、前記前カバー、前記後カバー、前記中間カバーが装着された状態で、前記中間カバーは、前後方向において前カバーと前記後カバーにより挟まれていることを特徴とする請求項２記載の電子機器。
【請求項１２】
前記中間カバーは、前記本体部の上面を覆う上面部と、前記本体部の側面を覆う側面部と、前記本体部の底面部分を覆う底面部とを有し、弾性変形可能に設けられていることを特徴とする請求項２記載の電子機器。
【請求項１３】
前記電子機器はカメラであり、前記各種の機構のうちの一つは撮影光学系を含む撮影機構が組み込まれた鏡筒を備え、前記前カバーには前記撮影光学系を露出させる窓が形成され、前記前カバーは、前記窓から前記撮影光学系を前方に露出させて前記カメラ本体の前面を覆い、前記中間カバーにはシャッタースイッチを露出させる窓が形成され、前記中間カバーは、前記窓から前記シャッタースイッチを上方に突出させて前記カメラ本体の上面を覆っていることを特徴とする請求項２記載の電子機器。
【請求項１４】
前記電子機器は携帯型ゲーム機であり、前記機構部のうちの一つは液晶表示パネルを含み、前記前カバーには前記液晶表示パネルを露出させる窓が形成され、前記前カバーは、前記窓から前記液晶表示パネルを前方に露出させて前記カメラ本体の前面を覆っていることを特徴とする請求項２記載の電子機器。
【請求項１５】
電子機器を構成する各種の機構が組み付けられ扁平で略矩形の輪郭内に収められた本体部に装着され前記本体部を覆う電子機器の扁平で略矩形の外筐構造であって、
前記本体部は、第１の主面と、この第１の主面に対向する第２の主面と、これら第１の主面と第２の主面の周囲を接続する４つの側面を有し、
前記外筐は、
前記本体部の前記第１の主面を覆う第１のカバーと、
前記本体部の前記第２の主面を覆う第２のカバーと、
前記本体部の４つの側面のうちの互いに接続された３つの側面を覆う第３のカバーとを含んで構成されている、
ことを特徴とする電子機器の外筐構造。
【発明の詳細な説明】
【技術分野】
【０００１】
本発明は電子機器およびその外筐構造に関する。
【背景技術】
【０００２】
電子機器は、多くの場合、外装を構成するカバー（外筐）を有し、このカバーの内部に電子機器を構成する各種の機構が収容されている。
また、このようなカバーは複数のカバーが互いにねじによって締結されることで連結される構造となっていることが多い。
このように複数のカバーが互いにねじで締結される構造では、カバーの外方にねじの頭部が露出するため、電子機器の美観を向上させる上で不利がある。
このため、ねじの頭部を覆うための目隠しキャップや蓋体をカバーに取り付けることによってねじの頭部を目隠し電子機器の美観を向上させることが行われている（特許文献１、２参照）。
【特許文献１】特開２０００−２２３８６３号公報
【特許文献２】特開２００１−２４７６３号公報
【発明の開示】
【発明が解決しようとする課題】
【０００３】
しかしながら、上述した従来技術では、ねじ毎に目隠しキャップや蓋体を設けなくてはならず、その取り付け（取り外し）が繁雑で電子機器の組立作業性を向上させる上で不利があった。
本発明はこのような事情に鑑みなされたもので、その目的は、電子機器の美観を確保しつつその組立作業性を向上させることができる電子機器およびその外筐構造を提供することにある。
【課題を解決するための手段】
【０００４】
上述の目的を達成するため、本発明の電子機器は、各種の機構が組み付けられ扁平で略矩形の輪郭内に収められた本体部と、前記本体部に装着され前記本体部を覆う扁平で略矩形の外筐とを備え、前記本体部は、第１の主面と、この第１の主面に対向する第２の主面と、これら第１の主面と第２の主面の周囲を接続する４つの側面を有し、前記外筐は、前記本体部の前記第１の主面を覆う第１のカバーと、前記本体部の前記第２の主面を覆う第２のカバーと、前記本体部の４つの側面のうちの互いに接続された３つの側面を覆う第３のカバーとを含んで構成されていることを特徴とする。
また本発明の電子機器の外筐構造は、電子機器の本体部が第１の主面と、この第１の主面に対向する第２の主面と、これら第１の主面と第２の主面の周囲を接続する４つの側面を有し、前記本体部を覆う外筐は、前記本体部の前記第１の主面を覆う第１のカバーと、前記本体部の前記第２の主面を覆う第２のカバーと、前記本体部の４つの側面のうちの互いに接続された３つの側面を覆う第３のカバーとを含んで構成されていることを特徴とする。
【発明の効果】
【０００５】
そのため、本発明によれば、第１のカバーおよび第２のカバーを本体部に取り付けるためのねじの頭部を電子機器の側面において第３のカバーにより覆い隠すことができ、従来と違ってねじ毎に目隠しキャップや蓋体をカバーに取り付ける必要がなくなり、美観を確保しつつ組み立て作業性を向上させる上で有利となる。
【発明を実施するための最良の形態】
【０００６】
電子機器の外筐を、第１のカバーと第２のカバーと第３のカバーとの３つのカバーを含んで構成することによって前記目的を実現した。
【実施例１】
【０００７】
次に本発明の実施例１について図面を参照して説明する。
本実施例において電子機器はデジタルスチルカメラである。
図１は実施例１のデジタルスチルカメラ１００を前方から見た斜視図、図２は実施例１のデジタルスチルカメラ１００を後方から見た斜視図、図３は前カバー、後カバー、中間カバーの説明図、図４はデジタルスチルカメラ１００の組み立て説明図、図５はデジタルスチルカメラの要部断面図、図６は実施例１のデジタルスチルカメラ１００の制御系を示すブロック図である。
【０００８】
図３に示すように、デジタルスチルカメラ１００は、各種の機構が組み付けられた本体部１０と、本体部１０を覆うカバー２０とを備えている。
ここで各種の機構とは、図６に示すように、電子機器がデジタルスチルカメラ１００であることから、撮影光学系１０２や撮像素子１０４などから構成された撮影機構１０６、撮影機構１０６により撮像された画像を画像データとして処理する画像処理機構１０８、画像処理機構１０８で処理された画像データを表示する表示機構１１０、画像処理機構１０８で処理された画像データをメモリカードなどの記憶媒体１１２に対して記録しあるいは記録媒体１１２から再生する記録再生機構１１４、各機構を制御する制御機構１１６、制御機構１１６に対して各種の操作信号を供給する操作機構１１８、各機構に対して電源を供給する電源供給機構１２０などである。
撮像素子１０４は、撮影光学系１０２によって結像された被写体像を撮像するＣＣＤやＣＭＯＳセンサなどで構成されている。
表示機構１１０は、画像処理機構１０８から供給される画像データを処理する表示処理部１１０Ａとこの表示処理部１１０Ａから供給される処理された画像データを表示する液晶ディスプレイ１１０Ｂとを備えている。
制御機構１１６は、操作機構１１８から供給される操作信号に基づいて撮影機構１０６、画像処理機構１０８、表示機構１１０、記録再生機構１１４の制御を行う。
なお、これら機構は、それら機構を収容するケース自体が連結されて本体部を構成しているものもあり、また、フレームが設けられ、フレームにそれら機構が組み付けられることで本体部を構成しているものもある。
【０００９】
なお、本明細書においてデジタルスチルカメラ１００やケース２０の左右はそれらを前方（被写体側）から見た状態でいうものとする。
図１、図２に示すように、撮影機構１０６は鏡筒１０７を備え、この鏡筒１０７には撮影光学系１０２、撮像素子１０４が収容されている。
デジタルスチルカメラ１００の前面上部にはストロボ窓１５０、ファインダー窓１５２が設けられている。
デジタルスチルカメラ１００の上面にはシャッタースイッチ１５４が設けられている。
デジタルスチルカメラ１００の背面にはファインダー窓１５２に連通するファインダー窓１５３が設けられている。また、デジタルスチルカメラ１００の背面には、液晶ディスプレイ１１０Ｂ、撮影光学系１０２のズーム操作を行うズームスイッチ１５６、撮影や再生の動作モードを切り換えるモードスイッチ１５８、各種設定操作を行うための十字スイッチ１６０および複数の設定スイッチ１６２などが設けられている。なお、これらスイッチは操作機構１１８を構成している。
本体部１０は、上述のように各種の機構が組み付けられ扁平で略矩形の輪郭内に収められている。したがって、本体部１０は、第１の主面と、この第１の主面に対向する第２の主面と、これら第１の主面と第２の主面の周囲を接続する４つの側面を有し、厳密には、これら本体部１０の第１の主面、第２の主面、４つの側面は、上記の扁平で略矩形の輪郭の面を構成するものである。
本実施例では、本体部１０の前記第１の主面により前面が構成され、前記第２の主面により後面が構成され、前記４つの側面のうちの１つの側面により上面が構成され、前記４つの側面のうちの残りの２つの側面により前記上面に接続する左右の側面が構成され、前記４つの側面のうちの残りの１つの側面により前記左右の側面に接続する底面が構成されている。
本実施例では、本体部１０はフレーム１２を有し、フレーム１２に前記各機構が組み付けられている。
カバー２０（外筐２０）は、本体部１０の前面を覆う前カバー２２（第１のカバー）と、本体部１０の後面を覆う後カバー２４（第２のカバー）と、本体部１０の上面およびこの上面に続く側面ならびにこの側面に続く底面部分を覆う中間カバー２６（第３のカバー）とを含んで構成されている。
【００１０】
図３に示すように、前カバー２２は、本体部１０の前面を覆う前面部２２０２と、本体部１０の上面の前縁を覆う上縁面部２２０４と、本体部１０の側面の前縁を覆う側縁面部２２０６と、本体部１０の底面の前縁を覆う底縁面部２２０８とを備えている。
本実施例では、側縁面部２２０６の輪郭は前方から見てほぼ半円を描く円弧状に形成されている。
上縁面部２２０４の両端には取り付け片２２１０がそれぞれ後方に向けて突設され、これら取り付け片２２１０はねじによりフレーム１２の上面に取着されている。
上縁面部２２０４にはフレーム１２の上面上に位置する第１係脱部２２１２が設けられている。本実施例では、上縁面部２２０４からフレーム１２の上面上に左右に間隔をおいて２つの突出片２２１４が後方に突設され、各突出片２２１４に左右に細長い矩形状の孔２２１６がそれぞれ形成されており、これら２つの孔２２１６によってそれぞれ第１係脱部２２１２が構成されている。
前面部２２０２には鏡筒１０７、すなわち、撮影光学系１０４を露出させる窓２２１８が形成され、前面部２２０２は、窓２２１８から撮影光学系１０４を前方に露出させて本体部１０の前面を覆っている。
【００１１】
図３に示すように、後カバー２４は、本体部１０の後面を覆う後面部２４０２と、本体部１０の上面の後縁を覆う上縁面部２４０４と、本体部１０の側面の後縁を覆う側縁面部２４０６と、本体部１０の底面の後縁を覆う底縁面部２４０８とを備えている。
本実施例では、側縁面部２４０６の輪郭は後方から見てほぼ半円を描く円弧状に形成され前カバー２２の側縁面部２２０６の輪郭と合致している。
前カバー２２と後カバー２４の上縁面部２２０４、２４０４との間、側縁面部２２０６、２４０６との間、底縁面部２２０８、２４０８との間に本体部１０の上面、側面、底面を開放する開口２７が形成されている。
上縁面部２４０４の両端には取り付け片２４１０がそれぞれ前方に突設され、これら取り付け片２４１０はねじによりフレーム１２の上面に取着されている。
上縁面部２４０４にはフレーム１２の上面上に位置する第２係脱部２４１２が設けられている。本実施例では、上縁面部２４０４からフレーム１２の上面上に１つの突出片２４１４が前方に突設され、この突出片２４１４には、左右に細長い矩形状の孔２４１６が形成されており、この孔２４１６によって第２係脱部２４１２が構成されている。
図２に示すように、後面部２４０２には液晶ディスプレイ１１０Ｂの表示面を露出させる窓２４１８が設けられ、後面部２４０２は、窓２４１８から前記表示面を後方に露出させて本体部１０の後面を覆っている。
【００１２】
図３、図４に示すように、中間カバー２６は開口２７を塞ぐように設けられている。
本実施例では、中間カバー２６は本体部１０の上面を覆う上面部２６０２と、本体部１０の側面を覆う側面部２６０４と、本体部１０の側面の一部を覆う底面部２６０６とで構成され、合成樹脂などの材料から弾性変形可能に設けられている。
上面部２６０２の左側部にはシャッタースイッチ１５４露出用の窓２６２０が設けられている。
側面部２６０４は、前カバー２２の側縁面部２２０６の輪郭および後カバー２４の側縁面部２４０６の輪郭に沿って延在するほぼ円筒面状を呈している。
上面部２６０２と側面部２６０４は均一の幅で形成され、底面部２６０６の幅はこれら上面部２６０２および側面部２６０４よりも小さな幅で形成されている。そして、中間カバー２６により開口２７を隙間無く塞ぐように構成され、中間カバー２６が装着された状態で、中間カバー２６と前カバー２２との境の部分は同一面上を延在し、また、中間カバー２６と後カバー２４との境の部分は同一面上を延在するように構成されている。
上面部２６０２は、取り付け片２２１０、２４１０および第１、第２係脱部２２１２、２４１２を含んだフレーム１２の上面を覆っている
本実施例では、上面部２６０２がフレーム１２に臨む内面のうち側面部２６０４と反対側寄り箇所には、前カバー２２および後カバー２４の上縁面部２２０４、２４０４が突き合わされる部分２２２０、２４２０に係合可能な係合爪２６１６が突設されている。
また、上面部２６０２がフレーム１２の上面に臨む内面には、第１係脱部２２１２および第２係脱部２４１２に係脱可能に結合することで上面部２６０２が取り付け片２２１０、２４１０および第１係脱部２２１２および第２係脱部２４１２を含んだフレーム１２の上面を覆って本体部１０の上面に装着される第３係脱部２６０８が設けられている。
【００１３】
本実施例では、第３係脱部２６０８は、上面部２６０２がフレーム１２の上面に臨む内面から突設され第１係脱部２２１２の孔２２１６に係合可能な係合片２６１０と、前記内面から突設され第２係脱部２４１２の孔２４１６に係合可能な係合片２６１２とで構成されている。
図５に示すように、係合片２６１０、２６１２が係合爪２６１６に臨む縁部２６１３は、中間カバー２６の上面部２６０２の内面から本体部１０に近づくにつれて係合爪２６１６に近づく方向に傾斜して設けられている。
また、第１係脱部２２１２および第２係脱部２４１２に第３係脱部２６０８が結合された状態で、すなわち、第１係脱部２２１２の孔２２１６に係合片２６１０が係合され、かつ、第２係脱部２４１２の孔２４１６に係合片２６１２が係合された状態で、係合片２６１０、２６１２の縁部２６１３に臨むフレーム１２部分には、これら縁部２６１３と同じ傾斜を有する傾斜部１２３０が形成されている。
したがって、中間カバー２６の係合爪２６１６を前カバー２２および後カバー２４の上縁面部２２０４、２４０４の部分２２２０、２４２０に係合させた状態で、中間カバー２６を係合爪２６１６を中心として本体部１０方向に揺動させつつ、係合片２６１０、２６１２を第１係脱部２２１２の孔２２１６、第２係脱部２４１２の孔２４１６にそれぞれ挿入すると、係合片２６１０、２６１２の縁部２６１３が傾斜部１２３０に当接され円滑に係合されるように構成されている。
【００１４】
さらに、底面部２６０６にはねじ挿通孔２６１４が設けられている。そして、第１係脱部２２１２および第２係脱部２４１２に第３係脱部２６０８が結合され、ねじ挿通孔２６１４に挿通されたねじが本体部１０の底面部分の雌ねじ（不図示）に螺合されることで底面部２６０６が本体部１０に固定され、これにより中間カバー２６が本体部１０（フレーム１２）に装着されている。
また、本実施例では、図３に示すように、上面部２６０２と側面部２６０４の境目部分が本体部１０に臨む内面箇所に１つのリブ２６１８が前後方向に沿って直線状に突設されており、側面部２６０４が本体部１０に臨む内面箇所に２つのリブ２６２０が前後方向に沿って直線状に突設されている。
１つのリブ２６１８がフレーム１２に設けられた凹部１２１０に収容された状態で中間カバー２６の左右方向の位置決めがなされ、２つのリブ２６２０がフレーム１２に設けられた切り欠き１２１２に収容された状態で側面部２６０４の上下方向の位置決めがなされるようになっている。
【００１５】
次に、カバー２０の組み立てについて説明する。
図３に示すように、前カバー２２の上縁面部２２０４の取付片２２１０をねじによりフレーム１２の上面に取り付ける。
後カバー２４の上縁面部２４０４の取付片２４１０をねじによりフレーム１２の上面に取り付ける。
次に、図４に示すように、中間カバー２６の上面部２６０２の内面を開口２７に臨ませるとともに、中間カバー２６の側面部２６０４およびこの側面部２６０４と連続する上面部２６０２の部分を斜め上方に撓ませつつ、中間カバー２６の係合爪２６１６を前カバー２２および後カバー２４の上縁面部２２０４、２４０４の部分２２２０、２４２０に係合させた状態で、中間カバー２６を係合爪２６１６を中心として本体部１０側に揺動させ、係合片２６１０、２６１２を第１係脱部２２１２の孔２２１６、第２係脱部２４１２の孔２４１６にそれぞれ挿入する。これにより、第３係脱部２６０８が第１係脱部２２１２、第２係脱部２４１２に結合する。
そして、中間カバー２６を撓ませていた力を解除すると、側面部２６０６、底面部２６０８がそれらの弾性によって本来の形状に復帰し開口２７が隙間無く塞がれる。
これにより、開口２７が中間カバー２６の上面部２６０４、側面部２６０６、底面部２６０８によって塞がれた状態となったならば、底面部２６０８のねじ挿通孔２６１４にねじを挿通して本体部１０の底面部分の雌ねじ（不図示）に螺合することで、中間カバー２６が本体部１０（フレーム１２）に装着される。
【００１６】
本実施例によれば、本体部１０を覆うカバー２０が本体部１０の前面を覆う前カバー２２と、本体部１０の後面を覆う後カバー２４と、本体部１０（フレーム１２）の上面およびこの上面に続く側面ならびにこの側面に続く底面部分を覆う中間カバー２６とを含んで構成されているので、前カバー２２および後カバー２４を本体部１０に取り付けるためのねじの頭部をデジタルスチルカメラ１００の上面および側面において中間カバー２６により覆い隠すことができる。
したがって、デジタルスチルカメラ１００のカバー２０を、前カバー２２と後カバー２４と中間カバー２６との３つのカバーにより構成することで、それらカバー取り付け用のねじを隠すことができ、従来と違ってねじ毎に目隠しキャップや蓋体をカバー２０に取り付ける必要がなくなり、美観を確保しつつ組み立て作業性を向上させる上で有利となる。
また、中間カバー２６は、上面部２６０２と側面部２６０４と底面部２６０６とで弾性変形可能に構成されているので、実施例のように第１〜第３係脱部２２１２，２４１２、２６０８を利用して簡単にしかもがたつきなく組み付けることができ、組み立て作業性を向上させる上で有利となる。
また、前カバー２２と後カバー２４の間に中間カバー２６が設けられ、中間カバー２６が前カバー２２と後カバー２４の間で挟まれる構造となるため、カバー２０全体の強度を向上させる上でも有利となる。
【実施例２】
【００１７】
次に実施例２について説明する。
図７は実施例２のデジタルスチルカメラ１００の前カバー、後カバー、中間カバーの説明図、図８は実施例２のデジタルスチルカメラ１００の組み立て説明図である。なお、以下では、実施例１と同一の箇所、部材に同一の符号を付して説明する。
実施例２では、実施例１と同様に、カバー２０は、本体部１０の前面を覆う前カバー２２と、本体部１０の後面を覆う後カバー２４と、本体部１０の上面およびこの上面に続く側面ならびにこの側面に続く底面部分を覆う中間カバー２６とを含んで構成されている。
実施例２では、前カバー２２と後カバー２４が一体的に構成されており、前カバー２２と後カバー２４の間に開口２７が形成されている。
本体部１０は、前述した各機構を収容するケース同士が連結されて構成されている。本体部１０は、開口２７のうち例えば左側方あるいは底方の箇所から前カバー２２および後カバー２４の間に挿入され、前カバー２２および後カバー２４は、開口２７の左側方あるいは底方から不図示のねじにより本体部１０に取着されている。
【００１８】
前カバー２２には、実施例１と同様に本体部１０の上面上に位置する第１係脱部２２１２が設けられており、さらに、本体部１０の側面上に位置する第１係脱部２２１２と、本体部１０の底面上に位置する第１係脱部２２１２とがそれぞれ設けられている。
すなわち、前カバー２２の上縁面部２２０４から本体部１０の上面上に左右に間隔をおいて２つの突出片２２１４が後方に突設され、各突出片２２１４に左右に細長い矩形状の孔２２１６がそれぞれ形成されており、これら２つの孔２２１６によってそれぞれ第１係脱部２２１２が構成されている。
また、前カバー２２の側縁面部２２０６から本体部１０の側面上に上下に間隔をおいて２つの突出片２２１４が後方に突設され、各突出片２２１４に上下に細長い矩形状の孔２２１６がそれぞれ形成されており、これら２つの孔２２１６によってそれぞれ第１係脱部２２１２が構成されている。
また、図示しないが、前カバー２２の底縁面部２２０８から本体部１０の底面上に１つの突出片が後方に突設され、各突出片に左右に細長い矩形状の孔が形成されており、この孔によって第１係脱部が構成されている。
【００１９】
後カバー２４には、実施例１と同様に本体部１０の上面上に位置する第２係脱部２４１２が設けられており、さらに、本体部１０の側面上に位置する第２係脱部２４１２と、本体部１０の底面上に位置する第２係脱部２４１２とがそれぞれ設けられている。
すなわち、前カバー２２の上縁面部２２０４から本体部１０の上面上に左右に間隔をおいて２つの突出片２２１４が前方に突設され、各突出片２４１４に左右に細長い矩形状の孔２４１６がそれぞれ形成されており、これら２つの孔２４１６によってそれぞれ第２係脱部２４１２が構成されている。
また、前カバー２４の側縁面部２４０６から本体部１０の側面上に上下に間隔をおいて２つの突出片２４１４が後方に突設され、各突出片２４１４に上下に細長い矩形状の孔２４１６がそれぞれ形成されており、これら２つの孔２４１６によってそれぞれ第２係脱部２４１２が構成されている。
また、図示しないが、後カバー２４の底縁面部２４０８から本体部１０の底面上に１つの突出片が前方に突設され、各突出片に左右に細長い矩形状の孔が形成されており、この孔によって第２係脱部が構成されている。
【００２０】
図７、図８に示すように、中間カバー２６は開口２７を塞ぐように設けられ、実施例１と同様に中間カバー２６は本体部１０の上面を覆う上面部２６０２と、本体部１０の側面を覆う側面部２６０４と、本体部１０の底面の一部を覆う底面部２６０６とで構成されている。
側面部２６０４は実施例１と異なり平面状を呈している。
上面部２６０２と側面部２６０４と底面部２６０６は均一の幅で形成され、中間カバー２６により開口２７を隙間無く塞ぐように構成され、上面部２６０２、側面部２６０４、底面部２６０６は、第１、第２係脱部２２１２、２４１２を含んだ本体部１０の上面、側面、底面を覆っている
実施例２では、上面部２６０２が本体部１０に臨む内面のうち側面部２６０４と反対側寄り箇所には、前カバー２２および後カバー２４が接続された箇所に設けられた係合孔２００２に係合可能な係合爪２６１６が突設されている。
また、上面部２６０２が本体部１０の上面に臨む内面、側面部２６０４が本体部１０の側面に臨む内面、底面部２６０６が本体部１０の底面に臨む内面には、第１係脱部２２１２および第２係脱部２４１２に係脱可能に結合することで上面部２６０２、側面部２６０４、底面部２６０６が第１係脱部２２１２および第２係脱部２４１２を含んだ本体部１０の上面、側面、底面を覆って本体部１０の上面に装着される第３係脱部２６０８が設けられている。
【００２１】
実施例２では、第３係脱部２６０８は、上面部２６０２が本体部１０の上面、側面、底面に臨む内面からそれぞれ突設され第１係脱部２２１２の孔２２１６に係合可能な係合片２６１０と、上面部２６０２が本体部１０の上面、側面、底面に臨む内面からそれぞれ突設され第２係脱部２４１２の孔２４１６に係合可能な係合片２６１２とで構成されている。
【００２２】
さらに、底面部２６０６にはねじ挿通孔２６１４が設けられている。そして、第１係脱部２２１２および第２係脱部２４１２に第３係脱部２６０８が結合され、ねじ挿通孔２６１４に挿通されたねじ２０１０が本体部１０の底面部分の雌ねじ（不図示）に螺合されることで底面部２６０６が本体部１０に固定され、これにより中間カバー２６が本体部１０に装着されている。
【００２３】
次に、カバー２０の組み立てについて説明する。
図７に示すように、前カバー２２および後カバー２４の間に、側面あるいは側方から本体部１０を挿入し組み付ける。
次に、図８に示すように、中間カバー２６の上面部２６０２の内面を開口２７に臨ませるとともに、中間カバー２６の側面部２６０４およびこの側面部２６０４と連続する底面部２６０６の部分を斜め上方に撓ませつつ、中間カバー２６の係合爪２６１６をカバー２０の係合孔２００２に係合させた状態で、中間カバー２６を係合爪２６１６を中心として本体部１０側に揺動させ、中間カバー２６の上面部２６０２の係合片２６１０、２６１２を第１係脱部２２１２の孔２２１６、第２係脱部２４１２の孔２４１６にそれぞれ挿入する。これにより、第３係脱部２６０８が前カバー２２および後カバー２４の上部の第１係脱部２２１２、第２係脱部２４１２に結合する。
そして、中間カバー２６を撓ませていた力を解除すると、側面部２６０６、底面部２６０８がそれらの弾性によって本来の形状に復帰し、中間カバー２６の側面部２６０４、底面部２６０６の係合片２６１０、２６１２が前カバー２２および後カバー２４の上部、底部の第１係脱部２２１２、第２係脱部２４１２にそれぞれ挿入され、これにより、第３係脱部２６０８が前カバー２２および後カバー２４の側部、底部の第１係脱部２２１２、第２係脱部２４１２に結合し、かつ、開口２７が隙間無く塞がれる。
これにより、開口２７が中間カバー２６の上面部２６０４、側面部２６０６、底面部２６０８によって塞がれた状態となったならば、底面部２６０８のねじ挿通孔２６１４にねじ２０１０を挿通して本体部１０の底面部分の雌ねじ（不図示）に螺合することで、中間カバー２６が本体部１０に装着され固定される。
【００２４】
実施例２によれば、実施例１と同様に、前カバー２２の後縁および後カバー２４の前縁をデジタルスチルカメラ１００の上面および側面において中間カバー２６により覆い隠すことができ、美観を確保しつつ組み立て作業性を向上させる上で有利となる。
また、中間カバー２６は、上面部２６０２と側面部２６０４と底面部２６０６とで弾性変形可能に構成されているので、実施例のように第１〜第３係脱部２２１２，２４１２、２６０８を利用して簡単にしかもがたつきなく組み付けることができ、組み立て作業性を向上させる上で有利となる。
また、実施例１と同様に、中間カバー２６が第１、第２係脱部２２１２、２４１２、第３係脱部２６０８を介して前カバー２２と後カバー２４の間で挟まれる構造となるため、カバー２０全体の強度を向上させる上で有利である。
【実施例３】
【００２５】
次に実施例３について説明する。
実施例３において電子機器は携帯用のゲーム機１５０である。
図９は実施例３のゲーム機２００の斜視図、図１０は実施例３のゲーム機２００の前カバー、後カバー、中間カバーの説明図である。
図８に示すように、ゲーム機２００は、各種の機構が組み付けられた本体部１０と、本体部１０を覆うカバー２０とを備えている。
各種の機構とは、電子機器がゲーム機２００であることから、ゲームのソフトウェアが格納されたカートリッジ２２０から読み出したソフトウェアに基づいて制御動作を行う制御機構、この制御機構によって処理される画像データを処理する画像処理機構、この画像処理機構で処理された画像データを表示する液晶ディスプレイ２０２などからなる表示機構、制御機構に対して各種の操作信号を供給する複数の操作ボタン２０４などからなる操作機構、各機構に対して電源を供給する電源供給機構などである。
液晶ディスプレイ２０２はゲーム機２００の前面中央に設けられ、複数の操作ボタン２０４はゲーム機２００２の前面で液晶ディスプレイ２０２の周囲に設けられている。
カートリッジ２２０は、ゲーム機２００の上面中央に設けられたカートリッジ用のスロット２０６に装脱可能に装着される。
【００２６】
実施例３では、実施例１と同様に、カバー２０は、本体部１０の前面を覆う前カバー２２と、本体部１０の後面を覆う後カバー２４と、本体部１０の上面および左右の両側面ならびにこれら側面に続く底面部分を覆う中間カバー２６とを含んで構成されている。
本体部１０は、前述した各機構を収容するケース同士が連結されて構成されている。
【００２７】
図９に示すように、前カバー２２は、本体部１０の前面を覆う前面部２２０２と、本体部１０の上面の前縁を覆う上縁面部２２０４と、本体部１０の側面の前縁を覆う側縁面部２２０６と、本体部１０の底面の前縁を覆う底縁面部２２０８とを備えている。
上縁面部２２０４には、本体部１０の上面上に位置する第１係脱部２２１２が２つ設けられ、側縁面部２２０６には、本体部１０の左右両側の側面上に位置する第１係脱部２２１２が設けられ、底縁面部２２０８には、本体部１０の底面上に位置する第１係脱部（不図示）が設けられている。
すなわち、上縁面部２２０４から本体部１０の上面上に左右に間隔をおいて２つの突出片２２１４が後方に突設され、各突出片２２１４に左右に細長い矩形状の孔２２１６がそれぞれ形成されており、これら２つの孔２２１６によってそれぞれ第１係脱部２２１２が構成されている。
また、左右両側の側縁面部２２０６から本体部１０の側面上に１つの突出片２２１４が後方に突設され、各突出片２２１４に上下に細長い矩形状の孔２２１６がそれぞれ形成されており、これら孔２２１６によってそれぞれ第１係脱部２２１２が構成されている。
また、図示しないが、底縁面部２２０８から本体部１０の底面上に左右に間隔をおいて突出片が後方にそれぞれ突設され、各突出片に左右に細長い矩形状の孔が形成されており、この孔によって第１係脱部が構成されている。
また、前面部２２０２には液晶ディスプレイ２０２の表示面を露出させる窓２２２０が設けられ、後面部２４０２には液晶ディスプレイ１１０Ｂの表示面を露出させる窓２２２０が設けられている。
【００２８】
図９に示すように、後カバー２４は、本体部１０の後面を覆う後面部２４０２と、本体部１０の上面の後縁を覆う上縁面部２４０４と、本体部１０の側面の後縁を覆う側縁面部２４０６と、本体部１０の底面の後縁を覆う底縁面部２４０８とを備えている。
前カバー２２と後カバー２４の上縁面部２２０４、２４０４との間、左右両側の側縁面部２２０６、２４０６との間、底縁面部２２０８、２４０８との間に本体部１０の上面、側面、底面を開放する開口２７が形成されている。
上縁面部２４０４には、本体部１０の上面上に位置する第２係脱部２４１２が２つ設けられ、側縁面部２４０６には、本体部１０の左右両側の側面上に位置する第２係脱部２４１２が設けられ、底縁面部２４０８には、本体部１０の底面上に位置する第２係脱部（不図示）が設けられている。
すなわち、上縁面部２４０４から本体部１０の上面上に左右に間隔をおいて２つの突出片２４１４が前方に突設され、各突出片２４１４に左右に細長い矩形状の孔２４１６がそれぞれ形成されており、これら２つの孔２４１６によってそれぞれ第２係脱部２４１２が構成されている。
また、左右両側の側縁面部２４０６から本体部１０の側面上に１つの突出片２４１４が前方に突設され、各突出片２４１４に上下に細長い矩形状の孔２４１６がそれぞれ形成されており、これら孔２４１６によってそれぞれ第２係脱部２４１２が構成されている。
また、図示しないが、底縁面部２４０８から本体部１０の底面上に左右に間隔をおいて突出片が前方にそれぞれ突設され、各突出片に左右に細長い矩形状の孔が形成されており、この孔によって第２係脱部が構成されている。
【００２９】
図８、図９に示すように、中間カバー２６は開口２７を塞ぐように設けられている。
実施例３では、中間カバー２６は本体部１０の上面を覆う上面部２６０２と、本体部１０の左右の側面を覆う側面部２６０４と、本体部１０の底面の一部を覆う底面部２６０６とで構成されている。
上面部２６０２の中央にはスロット２０６露出用の窓２６３０が設けられている。
側面部２６０４は平面状を呈している。
上面部２６０２と側面部２６０４と底面部２６０６は均一の幅で形成され、中間カバー２６により開口２７を隙間無く塞ぐように構成されている。
上面部２６０２、側面部２６０４、底面部２６０６は第１、第２係脱部２２１２、２４１２を含んだ本体部１０の上面、側面、底面を覆っている
上面部２６０２が本体部１０の上面に臨む内面、側面部２６０４が本体部１０の側面に臨む内面、底面部２６０６が本体部１０の底面に臨む内面には、第１係脱部２２１２および第２係脱部２４１２に係脱可能に結合することで上面部２６０２、側面部２６０４、底面部２６０６が第１係脱部２２１２および第２係脱部２４１２を含んだ本体部１０の上面、側面、底面を覆って本体部１０の上面に装着される第３係脱部２６０８が設けられている。
【００３０】
実施例３では、第３係脱部２６０８は、上面部２６０２が本体部１０の上面、側面、底面に臨む内面からそれぞれ突設され第１係脱部２２１２の孔２２１６に係合可能な係合片２６１０と、上面部２６０２が本体部１０の上面、側面、底面に臨む内面からそれぞれ突設され第２係脱部２４１２の孔２４１６に係合可能な係合片２６１２とで構成されている。
【００３１】
さらに、底面部２６０６にはねじ挿通孔２６１４が設けられている。そして、第１係脱部２２１２および第２係脱部２４１２に第３係脱部２６０８が結合され、ねじ挿通孔２６１４に挿通されたねじが本体部１０の底面部分の雌ねじ（不図示）に螺合されることで底面部２６０６が本体部１０に固定され、これにより中間カバー２６が本体部１０に装着され固定されている。
【００３２】
次に、カバー２０の組み立てについて説明する。
図１０に示すように、本体部１０の前後部を挟むように前カバー２２および後カバー２４を本体部１０に組み付ける。
次に、中間カバー２６の上面部２６０２の内面を開口２７に臨ませるとともに、中間カバー２６の両側面部２６０４およびこれら両側面部２６０４と連続する底面部２６０６の部分を斜め上方に撓ませつつ、中間カバー２６の上面部２６０２の係合片２６１０、２６１２を第１係脱部２２１２の孔２２１６、第２係脱部２４１２の孔２４１６にそれぞれ挿入する。これにより、第３係脱部２６０８が前カバー２２および後カバー２４の上部の第１係脱部２２１２、第２係脱部２４１２に結合する。
そして、中間カバー２６を撓ませていた力を解除すると、側面部２６０６、底面部２６０８がそれらの弾性によって本来の形状に復帰し、中間カバー２６の側面部２６０４、底面部２６０６の係合片２６１０、２６１２が前カバー２２および後カバー２４の上部、底部の第１係脱部２２１２、第２係脱部２４１２にそれぞれ挿入され、これにより、第３係脱部２６０８が前カバー２２および後カバー２４の側部、底部の第１係脱部２２１２、第２係脱部２４１２に結合し、かつ、開口２７が隙間無く塞がれる。
これにより、開口２７が中間カバー２６の上面部２６０４、側面部２６０６、底面部２６０８によって塞がれた状態となったならば、底面部２６０８のねじ挿通孔２６１４にねじを挿通して本体部１０の底面部分の雌ねじ（不図示）に螺合することで、中間カバー２６が本体部１０に装着され固定される。
【００３３】
実施例３によれば、デジタルスチルカメラ１００のカバー２０を、前カバー２２と後カバー２４と中間カバー２６との３つのカバーにより構成することで、それらカバー取り付け用のねじや係脱部を隠すことができ、従来と違ってねじ毎に目隠しキャップや蓋体をカバー２０に取り付ける必要がなくなり、美観を確保しつつ組み立て作業性を向上させる上で有利となる。
また、中間カバー２６は、上面部２６０２と側面部２６０４と底面部２６０６とで弾性変形可能に構成されているので、実施例のように第１〜第３係脱部２２１２，２４１２、２６０８を利用して簡単にしかもがたつきなく組み付けることができ、組み立て作業性を向上させる上で有利となる。
また、前カバー２２と後カバー２４の間に中間カバー２６が設けられ、中間カバー２６が前カバー２２と後カバー２４の間で挟まれる構造となるため、カバー２０全体の強度を向上させる上でも有利となる。
【００３４】
なお、実施例１〜実施例３では、中間カバー２６の底面部２６０６をねじにより本体部１０に取着した場合について説明したが、図１０に示すように、ねじに代え先端に膨出部３２を有する係合片３０を本体部１０の係合孔１０１０に係合するようにしてもよく、あるいは、係合片３０に代えて前記の膨出部３２を有する係合片２６１０、２６１２を用いるようにしてもよい。このような係合片を用いると、中間カバー２６を破壊しない限り中間カバー２６を取り外せなくなり、ゲーム機２００の分解や改造がなされた場合に分解や改造がなされたことを確実に判別でき、ひいてはこのような分解や改造を阻止する上で有利となる。
また、実施例では、電子機器がデジタルスチルカメラ、ゲーム機である場合について説明したが、本発明はその他の各種の電子機器に広く適用される。
また、実施例では、前後左右および上下方向の向きを持った電子機器に本発明を適用した場合について説明したが、本発明は前後左右や上下方向の向きを持たない電子機器にも無論適用可能である。
【図面の簡単な説明】
【００３５】
【図１】実施例１のデジタルスチルカメラ１００を前方から見た斜視図である。
【図２】実施例１のデジタルスチルカメラ１００を後方から見た斜視図である。
【図３】前カバー、後カバー、中間カバーの説明図である。
【図４】デジタルスチルカメラ１００の組み立て説明図である。
【図５】デジタルスチルカメラの要部断面図である。
【図６】実施例１のデジタルスチルカメラ１００の制御系を示すブロック図である。
【図７】実施例２のデジタルスチルカメラ１００の前カバー、後カバー、中間カバーの説明図である。
【図８】実施例２のデジタルスチルカメラ１００の組み立て説明図である。
【図９】実施例３のゲーム機２００の斜視図である。
【図１０】実施例３のゲーム機２００の前カバー、後カバー、中間カバーの説明図である。
【図１１】実施例３の中間カバー２６の要部断面図である。
【符号の説明】
【００３６】
１００……デジタルスチルカメラ、２００……ゲーム機、１０……本体部、２０……カバー、２２……前カバー、２４……後カバー、２６……中間カバー。
【図１】
2006202910.tif 000003
【図２】
2006202910.tif 000004
【図３】
2006202910.tif 000005
【図４】
2006202910.tif 000006
【図５】
2006202910.tif 000007
【図６】
2006202910.tif 000008
【図７】
2006202910.tif 000009
【図８】
2006202910.tif 000010
【図９】
2006202910.tif 000011
【図１０】
2006202910.tif 000012
【図１１】
2006202910.tif 000013